(57)【特許請求の範囲】
【請求項１】
壁部に囲繞された流路を有するとともに基端が電気掃除機の吸引ホースに連通して接続される接続口部として構成される中空状の本体を備え、該本体の下側に先端から長手方向に沿って所定長さの細長状に連続した吸引口が形成された電気掃除機用吸引ノズルにおいて、
上記吸引口の先端位置ａから終端位置ｂ側の任意の任意位置ｍまでの吸引口の開口面積をＱｍ、該任意位置ｍにおける流路の横断面積をＳｍとしたとき、上記本体を、Ｓｍ＝Ｋ×Ｑｍとなり、且つ、１．２≦Ｋ≦２．５になるように形成し、
上記吸引口の先端位置ａから終端位置ｂまでの所定長さをＬ、上記吸引口の幅をＨ、上記吸引口の先端位置ａから任意位置ｍまでの長さをＬｍ、上記吸引口の先端位置ａから該吸引口の先端部の所定位置ｃまでの長さをＬｃとしたとき、少なくともＬｃ＜Ｌｍとし、６ｍｍ≦Ｈ≦１２ｍｍ、Ｌｃ＝Ｈ±４ｍｍ、５０ｍｍ≦Ｌ≦２００ｍｍに設定したことを特徴とする電気掃除機用吸引ノズル。
【請求項２】
１．３≦Ｋ≦２．２にしたことを特徴とする請求項１記載の電気掃除機用吸引ノズル。
【請求項３】
７．５ｍｍ≦Ｈ≦９ｍｍ、Ｌｃ＝Ｈ±２ｍｍ、７０ｍｍ≦Ｌ≦１５０ｍｍに設定したことを特徴とする請求項１または２記載の電気掃除機用吸引ノズル。
【請求項４】
上記本体を先端先細りの筒状に形成し、上記吸引口を該本体の先端部を軸線に略直行する方向に切除した先端開口と、該先端開口から基端側に延びる一般開口とを備えたことを特徴とする請求項１乃至３何れかに記載の電気掃除機用吸引ノズル。
【請求項５】
上記先端開口及び一般開口の境界位置ｄを上記所定位置ｃと定めたことを特徴とする請求項４記載の電気掃除機用吸引ノズル。
【請求項６】
上記一般開口の長手方向開口縁を、外側に凸に湾曲形成したことを特徴とする請求項４または５記載の電気掃除機用吸引ノズル。
【発明の詳細な説明】
【技術分野】
【０００１】
本発明は、電気掃除機の吸引力により塵埃等のゴミを吸引する電気掃除機用吸引ノズルに関し、特に、吸引口の前後の吸引力を均等化できるようにした電気掃除機用吸引ノズルに関する。
【背景技術】
【０００２】
一般に、電気掃除機においては、吸引力を増加させて用いる着脱可能な電気掃除機用吸引ノズルが備えられている。この吸引ノズルは、壁部で囲繞され筒状に形成された本体を備え、この本体の基端に電気掃除機の吸引ホースに連通して接続される接続口部を有し、本体の下側に先端から長手方向に沿う細長の吸引口を有して形成されている。ところで、この電気掃除機用吸引ノズルにおいては、広い面積を一時に掃除できるようにするために、吸引口の開口長を長くすることが考えられるが、吸引口の開口長を長くする程、吸引口の基端側の吸引力が強くなり、相対的に吸引口の先端側の吸引力が弱くなることから、前後の吸引力が不均一になり、清掃ムラが生じるという問題があった。
【０００３】
そこで、これを解消するために種々の技術があるが、例えば、先に、本願出願人が提案し、特許文献１（特開２００９−２７３５１０号公報）に掲載された吸引ノズルが知られている。図８に示すように、この吸引ノズルＮａは、壁部１０１に囲繞された流路１０２を有する本体１００を備え、本体１００の基端に電気掃除機の吸引ホース１０３に連通して接続される接続口部１０４を有し、本体１００の下側に先端から長手方向に沿って所定長さの細長状に形成された吸引口１０５が形成されている。そして、本体１００の一対の側壁間に、吸引口１０５を前側吸引口１０６と後側吸引口１０７とに分ける仕切り壁１０８を架設し、一端が後側吸引口１０７の後端に連設され他端が本体１００の先端側であって上壁側に向けて立ち上り、他端と上壁との間に吸引開口部１０９を形成する隔壁１１０を架設し、前側吸引口１０６の中央から吸引開口部１０９の中央に至る前側吸気経路１１１の長さと後側吸引口１０７の中央から吸引開口部１０９の中央に至るまでの後側吸気経路１１２の長さとが略同じ長さになるようにしている。これにより、電気掃除機を駆動させて、吸引ノズルＮａから塵埃等のゴミを吸引すると、前側吸気経路１１１と後側吸気経路１１２とが隔壁１１０と仕切り壁１０８によって、その長さが略同じに形成されているので、前側吸引口１０６と後側吸引口１０７との吸引力が略同じになり、そのため、吸引口１０５の前後の吸引力が均等化されるので、前後の清掃ムラが生じる事態が防止される。
【先行技術文献】
【特許文献】
【０００４】
【特許文献１】特開２００９−２７３５１０号公報
【発明の概要】
【発明が解決しようとする課題】
【０００５】
しかしながら、この従来の電気掃除機用吸引ノズルＮａにおいては、本体１００の一対の側壁間に、仕切り壁１０８と隔壁１１０とを架設しているので、吸引口１０５の前後の吸引力が均等化されるものの、構造が複雑になるので、製作が煩雑で、コスト高になるという問題があった。
本発明は、このような問題点に鑑みてなされたもので、吸引口の開口面積を大きくしても、構造を簡単にして吸引口の前後の吸引力が均等化できるようにし、清掃ムラが生じる事態を防止できるようにし、清掃効率の向上を図った電気掃除機用吸引ノズルを提供することを目的とする。
【課題を解決するための手段】
【０００６】
このような目的を達成するため、本願発明者は、長年実験，研究を重ね、以下の構造の電気掃除機用吸引ノズルを発明するに至った。即ち、壁部に囲繞された流路を有するとともに基端が電気掃除機の吸引ホースに連通して接続される接続口部として構成される中空状の本体を備え、該本体の下側に先端から長手方向に沿って所定長さの細長状に連続した吸引口が形成された電気掃除機用吸引ノズルにおいて、
上記吸引口の先端位置ａから終端位置ｂ側の任意の任意位置ｍまでの吸引口の開口面積をＱｍ、該任意位置ｍにおける流路の横断面積をＳｍとしたとき、上記本体を、Ｓｍ＝Ｋ×Ｑｍとなり、且つ、１．２≦Ｋ≦２．５になるように形成した構成としている。
但し、上記吸引口の幅をＨ、上記吸引口の先端位置ａから任意位置ｍまでの長さをＬｍ、上記吸引口の先端位置ａから該吸引口の先端部の所定位置ｃまでの長さをＬｃとしたとき、少なくともＬｃ＜Ｌｍとする。
ここで、Ｌｃ＜Ｌｍという条件にしたのは、吸引口の先端部の形状によっては、Ｓｍ＝Ｋ×Ｑｍの関係に作成することが不能であったり、可能であるが容易ではないからである。勿論、先端部においても、Ｓｍ＝Ｋ×Ｑｍとなり、且つ、１．２≦Ｋ≦２．５になるように形成できれば、より望ましい。これにより、少なくとも所定位置ｃよりも微小に終端位置ｂ側の位置から終端位置ｂまでの区間の流路において条件を満たすことになる。
Ｋが１．２に満たないと、吸引口の前後の吸引力にムラが生じる。Ｋが２．５を超えると形状のバランスが悪くなる。望ましくは、１．３≦Ｋ≦２．２である。より望ましくは、１．４≦Ｋ≦２．１である。
【０００７】
これにより、電気掃除機用吸引ノズルを用いて掃除するときは、本体の接続部を電気掃除機の吸引ホースに接続し、電気掃除機を駆動させ、例えば、畳やフローリング等の床面，床面に敷いた絨毯等に吸引口を沿わせて移動させ、あるいは、家具の裏等の狭い場所に挿入して用いる。また、床面の掃除以外に、布団，こたつ掛けや衣服等の布類に、吸引口を沿わせて移動させ、例えば、塵埃等のゴミを吸引させることも行なう。電気掃除機を駆動させると、吸引口から例えば、塵埃等のゴミが吸引され、接続部を通って電気掃除機本体内に入り、例えば、電気掃除機本体内に設けられているゴミ収納部等に収納される。
この場合、後述の実験例から分かるように、本体の吸引口の全長に亘って吸引力が略同じになり、そのため、吸引口の前後の吸引力が均等化されるので、前後の清掃ムラが生じる事態が防止される。また、吸引口の吸引力が均等化されると、吸引口の開口長を長くしても吸引口の前後の吸引力は略等しく十分な吸引力が吸引口の先端部まで出るので、吸引口の開口面積を大きくすることができ、そのため、広い面積を一時に掃除できるようになり、清掃効率を向上させることができる。
【０００８】
そして、必要に応じ、上記吸引口の先端位置ａから終端位置ｂまでの所定長さをＬとしたとき、６ｍｍ≦Ｈ≦１２ｍｍ、Ｌｃ＝Ｈ±４ｍｍ、５０ｍｍ≦Ｌ≦２００ｍｍに設定した構成としている。望ましくは、７．５ｍｍ≦Ｈ≦９ｍｍ、Ｌｃ＝Ｈ±２ｍｍ、７０ｍｍ≦Ｌ≦１５０ｍｍに設定したことである。これにより、本体の形状バランスが極めて良くなり、特に、家庭での使用において使いやすくすることができる。
【０００９】
また、必要に応じ、上記本体を先端先細りの筒状に形成し、上記吸引口を該本体の先端部を軸線に略直行する方向に切除した先端開口と、該先端開口から基端側に延びる一般開口とを備えた構成としている。これにより、例えば、家具の裏等の狭い場所に挿入して用いる際、先端開口は吸引ノズルの先端にあるので、先端開口を狭いところにあるゴミの位置に位置させやすく、そのため、狭いところの吸引を容易に行うことができる。
【００１０】
この場合、上記先端開口及び一般開口の境界位置ｄを上記所定位置ｃと定めたことが有効である。本体の先端に形成される先端開口の大きさがあまり大きくならないので、先端開口での吸引を確実に保持できる。
【００１１】
更にまた、必要に応じ、上記先端開口より基端側の一般開口の長手方向開口縁を、外側に凸に湾曲形成した構成としている。これにより、一般開口の長手方向開口縁が外側に凸に湾曲形成されているので、吸引面に対して点接触的に接するので、畳やフローリング等の床面，床面に敷いた絨毯，布団，こたつ掛けや衣服等の布類に、吸引口を沿わせて移動させやすくなり、清掃効率が向上させられる。
【発明の効果】
【００１２】
本発明によれば、吸引口の全長に亘って吸引力が略同じになり、そのため、吸引口の前後の吸引力が均等化されるので、前後の清掃ムラが生じる事態を防止することができる。また、吸引口の吸引力が均等化されると、吸引口の開口長を長くしても吸引口の前後の吸引力は略等しく十分な吸引力が吸引口の先端部まで出るので、吸引口の開口面積を大きくすることができ、そのため、広い面積を一時に掃除できるようになり、清掃効率を向上させることができる。
【図面の簡単な説明】
【００１３】
【図１】本発明の実施の形態に係る電気掃除機用吸引ノズルを示す斜視図である。
【図２】本発明の実施の形態に係る電気掃除機用吸引ノズルを示す底面図である。
【図３】本発明の実施の形態に係る電気掃除機用吸引ノズルを示す側面図である。
【図４】本発明の実施の形態に係る電気掃除機用吸引ノズルを示す任意位置での横断面図である。
【図５】本発明の実施の形態に係る電気掃除機用吸引ノズルに電気掃除機の吸引ノズル用アタッチメントを取付けた状態を示す図である。
【図６】本発明の実験例に係り、吸引ノズルの吸引力を計測するための測定装置を示す図である。
【図７】本発明の実験例に係り、実施例及び比較例の吸引力分布状態を示すグラフ図である。
【図８】従来の電気掃除機用吸引ノズルの一例を示す図である。
【発明を実施するための形態】
【００１４】
以下、添付図面に基づいて本発明の実施の形態に係る電気掃除機用吸引ノズルについて詳細に説明する。
図１乃至図４には、本発明の実施の形態に係る電気掃除機用吸引ノズルＮを示している。本吸引ノズルＮは、壁部２に囲繞された流路３を有し、先端先細りの筒状に形成された中空状の本体１を備えている。本体１は、例えば、プラスチックや金属板等で形成されている。本体１の基端は円筒状に形成されており、電気掃除機の吸引ホース（図示せず）に連通して接続される接続口部４として構成されている。本体１の下側には、先端から長手方向に沿って所定長さの細長状に連続した吸引口５が形成されている。
【００１５】
吸引口５は、本体１の先端部６を軸線Ｐに略直行する方向に切除した先端開口７と、この先端開口７から基端側に延びる一般開口８とを備えて構成されている。実施の形態では、先端開口７及び一般開口８の境界位置ｄを、吸引口５の先端部６の所定位置ｃと定めている。一般開口８の長手方向開口縁９は、外側に凸に湾曲形成されている。
【００１６】
また、実施の形態では、吸引口５の幅をＨ、吸引口５の先端位置ａから終端位置ｂまでの所定長さをＬ、吸引口５の先端位置ａから吸引口５の先端部６の所定位置ｃ（ｄ）までの長さをＬｃとしたとき、６ｍｍ≦Ｈ≦１２ｍｍ、Ｌｃ＝Ｈ±４ｍｍ、５０ｍｍ≦Ｌ≦２００ｍｍに設定している。望ましくは、７．５ｍｍ≦Ｈ≦９ｍｍ、Ｌｃ＝Ｈ±２ｍｍ、７０ｍｍ≦Ｌ≦１５０ｍｍに設定したことである。実施の形態では、Ｌｃ＝Ｈに設定されている。
更にまた、一般開口８の長手方向開口縁９は、例えば、その曲率半径Ｒを、２００ｍｍ≦Ｒ≦２０００ｍｍの範囲に定めている。
【００１７】
また、吸引口５の先端位置ａから終端位置ｂ側の任意の任意位置ｍまでの吸引口５の開口面積をＱｍ、任意位置ｍにおける流路３の横断面積（軸線Ｐに直行する流路３の面の面積）をＳｍとしたとき、本体１は、Ｓｍ＝Ｋ×Ｑｍとなり、且つ、１．２≦Ｋ≦２．５になるように形成されている。但し、少なくともＬｃ＜Ｌｍとする。
ここで、Ｌｃ＜Ｌｍという条件にしたのは、吸引口５の先端開口７のある先端部６の形状によっては、Ｓｍ＝Ｋ×Ｑｍの関係に作成することが不能であったり、可能であるが容易ではないからである。勿論、先端開口７においても、Ｓｍ＝Ｋ×Ｑｍとなり、且つ、１．２≦Ｋ≦２．５になるように形成できれば、より望ましい。これにより、任意位置ｍが、所定位置ｃ（ｄ）と終端位置ｂとの間の位置にあって、所定位置ｃ（ｄ）よりも微小に終端位置ｂ側の位置から終端位置ｂまでの区間の流路において条件を満たすことになる。
Ｋが１．２に満たないと、吸引口５の前後の吸引力にムラが生じる。Ｋが２．５を超えると形状のバランスが悪くなる。望ましくは、１．３≦Ｋ≦２．２である。より望ましくは、１．４≦Ｋ≦２．１である。
【００１８】
従って、この実施の形態に係る電気掃除機用吸引ノズルＮを用いて掃除するときは、本体１の接続部を電気掃除機の吸引ホースに接続し、電気掃除機を駆動させ、例えば、畳やフローリング等の床面，床面に敷いた絨毯等に吸引口５を沿わせて移動させ、あるいは、家具の裏等の狭い場所に挿入して用いる。また、床面の掃除以外に、布団，こたつ掛けや衣服等の布類に、吸引口５を沿わせて移動させ、例えば、塵埃等のゴミを吸引させることも行なう。電気掃除機を駆動させると、吸引口５から例えば、塵埃等のゴミが吸引され、接続部を通って電気掃除機本体内に入り、例えば、電気掃除機本体内に設けられているゴミ収納部等に収納される。
【００１９】
この場合、後述の実験例から分かるように、本体１の吸引口５の全長に亘って吸引力が略同じになり、そのため、吸引口５の前後の吸引力が均等化されるので、前後の清掃ムラが生じる事態が防止される。また、吸引口５の吸引力が均等化されると、吸引口５の開口長を長くしても吸引口５の前後の吸引力は略等しく十分な吸引力が吸引口５の先端部６まで出るので、吸引口５の開口面積を大きくすることができ、そのため、広い面積を一時に掃除できるようになり、清掃効率を向上させることができる。
【００２０】
また、本体１は、軸線Ｐに略直行する方向に切除した先端開口７を備えているので、例えば、家具の裏等の狭い場所に挿入して用いる際、先端開口７は吸引ノズルＮの先端にあるので、先端開口７を狭いところにあるゴミの位置に位置させやすく、そのため、狭いところの吸引を容易に行うことができる。この場合、Ｌｃ＝Ｈ±４ｍｍなので、実施の形態では、Ｌｃ＝Ｈなので、本体１の先端に形成される先端開口７の大きさがあまり大きくならないことから、先端開口７での吸引を確実に保持できる。
【００２１】
更に、吸引口５の一般開口８の長手方向開口縁９は、外側に凸に湾曲形成されているので、畳やフローリング等の床面，床面に敷いた絨毯，布団，こたつ掛けや衣服等の布類の吸引面に対して点接触的に接することになり、そのため、吸引口５を沿わせて移動させやすくなり、清掃効率が向上させられる。
【００２２】
また、この電気掃除機用吸引ノズルＮに、本願出願人が先に提出した電気掃除機の吸引ノズル用アタッチメント（特許３４５９３９３号公報に記載）を付けて掃除をすることができる。この場合、特に、布団，こたつ掛けや衣服等の布類の掃除をする際に有効である。
【００２３】
図５に示すように、このアタッチメントＳは、吸引ノズルＮがその先端部６から挿通される大きさの螺線２１で構成されるとともに、螺線２１を構成し間隔をもって順次列設される複数の線が挿通時に吸引口５を横切るアタッチメント本体２０と、アタッチメント本体２０を吸引ノズルＮに取付けるための取付機構２２とを備えて構成されている。
このアタッチメントを本発明の電気掃除機用吸引ノズルＮに取付ける。取付けは、吸引ノズルＮの先端部６をアタッチメント本体２０の基端側から挿入し、吸引ノズルＮを螺線２１内に入れて、取付機構２２により取付ける。
【００２４】
この状態で、掃除をしたい箇所に吸引ノズルＮの吸引口５を螺線２１を介して対面させ、ゴミ等を吸引して掃除を行なう。このとき、吸引ノズルＮに接触する接触物が、布団，こたつ掛けや衣服等の布類である場合、これらの柔軟な接触物は、吸引口５内に入り込もうとするが、アタッチメント本体２０により、吸い込まれようとする接触物が吸引口５から隔てられるとともに、接触物に対する複数の線の接触部の両側に隙間ができ、この隙間が逃がし弁として機能する。そのため、接触物の面方向に風圧に逆らう張力が発生して接触物をこわばらせるようになり、その結果、接触物が吸引口５にキッチリと纏わり付くことが防止される。即ち、接触物と吸引口５との間に隙間が確保されるので、接触物が吸引口５に吸い付かないために必要な空気の流入量が確保され接触物の吸い込みが防止されて、掃除する面を移動する際の滑りを良くして自由に動いてゴミを吸引させることができる。
【００２５】
この場合においても、電気掃除機用吸引ノズルＮの吸引口５の吸引力が均等化されているので、アタッチメントＳの効果と相俟って、前後の清掃ムラが生じる事態が防止される。また、吸引口５の吸引力が均等化されているので、吸引口５の開口面積を大きくすることができ、そのため、広い面積を一時に掃除できるようになり、アタッチメントＳの効果と相俟って、清掃効率を向上させることができる。
【実施例】
【００２６】
次に、実施例について説明する。
（実施例１）
本体１を、上記の形状に形成した。そして、吸引口５の幅Ｈを、Ｈ＝８ｍｍ、吸引口５の先端位置ａから終端位置ｂまでの所定長Ｌを、Ｌ＝１２８ｍｍ、先端位置ａと所定位置ｃ（境界位置ｄ）との長さＬｃを、Ｌｃ＝Ｈ＝８ｍｍに設定した。そして、開口面積Ｑｍと横断面積Ｓｍとの関係式、Ｓｍ＝Ｋ×Ｑｍにおいて、Ｋ＝１．５になるように形成した。但し、吸引口５の先端位置ａから任意位置ｍまでの長さをＬｍとしたとき、Ｌｃ＜Ｌｍとする。即ち、任意位置ｍは，吸引口５の所定位置ｃより微小に終端位置ｂ側の位置から終端位置ｂまでの間の位置となる。
【００２７】
（実施例２）
本体１を、上記の形状に形成した。そして、吸引口５の幅Ｈを、Ｈ＝８ｍｍ、吸引口５の先端位置ａから終端位置ｂまでの所定長Ｌを、Ｌ＝１２８ｍｍ、先端位置ａと所定位置ｃ（境界位置ｄ）との長さＬｃを、Ｌｃ＝Ｈ＝８ｍｍに設定した。そして、開口面積Ｑｍと横断面積Ｓｍとの関係式、Ｓｍ＝Ｋ×Ｑｍにおいて、Ｋ＝２になるように形成した。但し、吸引口５の先端位置ａから任意位置ｍまでの長さをＬｍとしたとき、Ｌｃ＜Ｌｍとする。即ち、任意位置ｍは，吸引口５の所定位置ｃより微小に終端位置ｂ側の位置から終端位置ｂまでの間の位置となる。
【００２８】
そして、比較例とともに吸引試験を行った、比較例１は、上記実施例１，２において、Ｋ＝１になるように形成した。比較例２は、市販のノズルで、Ｌ＝４０ｍｍのもの、比較例３は、市販のノズルで、Ｌ＝５０ｍｍのもの、比較例４は、市販のノズルで、Ｌ＝７０ｍｍのものである。
但し、実施例１及び２と比較例１は実験に使用した電気掃除機の吸引力の強弱のスイッチを中、即ち標準を用いて実験をおこなった。これは、市販のノズルより格段に大きくなった吸引口にふさわしい吸引力を用いるためである。
吸引口の部位番号は、先端開口７を０番にして、あとは所定位置ｃから終端位置ｂまで１０ｍｍ間隔に１から順に１２まで番号を振った。
また、比較例２，３及び４の市販のノズルにおいては、実施例１，２及び比較例１の実験に使用した電気掃除機を用いて、この電気掃除機の吸引力の強弱のスイッチを、弱を用いてこの実験を行った。これは、比較例２，３及び４の市販のノズルを備えていた各メーカーの電気掃除機のマニュアルに、このタイプのノズルを用いるときの吸引力のスイッチは、弱にして用いるように書いてあったからで、また、実際に実験に使用した電気掃除機の吸引力のスイッチを中、即ち標準でこれら比較例２，３及び４の市販のノズルを用いると、実験に使用した電気掃除機の自由に曲がる部分の吸引パイプが異常に縮み、電気掃除機の様子が尋常でない様子になったからである。
なお、比較例２，３及び４の市販のノズルの場合、明確な先端部分の吸引口がなかったため、吸引口の部位番号０番の値はない。
【００２９】
吸引試験は、図６に示すような負圧測定装置Ｆを作成して行った。この装置Ｆは、水を入れた容器３０を床に置き、内径３ｍｍの透明で適度に弾性と剛性を備えた塩化ビニールのホース３１を用い、このホースの一端を容器の水中に入れて固定し、ホースを垂直に約２メートル立ち上げていきフック３２に引っ掛けて折り返し、他端を床近傍に位置させて構成した。ホース３１には１０ｍｍ刻みにメモリ３３を付した。そして、実験に係る各吸引ノズルＮにおいて、吸引口５の開口先端位置ａから開口終端位置ｂにかけて、各部位番号の部位に、ホース３１の他端開口を順次あてがって容器３０内の水を吸引し、吸引されて上昇する水位（吸引口５の各部分に出る負圧）を測定した。この原理では、１０ｍｍ（１目盛）の水位上昇で１ヘクトパスカルとなる。
結果を図７に示す。この結果から、実施例１，２は、吸引口５の全長に亘って吸引力が略同じになり、そのため、吸引口５の前後の吸引力が均等化されていることが分かる。
【００３０】
次に、上記の実験結果を得るまでに、本願発明者は、種々の実験を行い、試行錯誤した。その経過を述べる。
本発明の動作の原理の根幹は電気掃除機で発生させられた負圧すなわち低気圧を、吸引ノズルＮの吸引口５の各部分のところまで張り出させるというところにある。吸引ノズルＮには空気を吸引する通路は必ずある。この空気を吸引する通路を、単に吸引通路と考えず、負圧供給通路（流路３）でもあると考え、この負圧供給通路をどのように形成すると、吸引口５の各部分の負圧が略等しい吸引ノズルＮが得られるのか考察して得られたものが今般の工夫である。
いま、吸引ノズルＮに電気掃除機での吸引による負圧がかかっていると考えて、そのとき、ｍ点の流路３（負圧供給通路）の断面積Ｓｍに対して、ａ点からｍ点までの吸引口５の面積Ｑｍ（＝Ｈ×Ｌｍ）が十分小さいとき、どのようなことが起きるかというと、ｍ点の負圧供給通路の断面を通って奥へと流れる空気の量に対して、ｍ点から先端側の吸引口５の面積Ｑｍ（＝Ｈ×Ｌｍ）から流入する空気の量は小さいと考えられるから、その差の分だけ、吸引ノズルＮの管内上部に設けられた負圧供給通路のｍ点から先端側の負圧供給通路内の空気はｍ点の負圧供給通路の断面から吸引され、この結果、負圧は負圧供給通路全体にいきわたり、吸引ノズルＮの吸引口５の各部分のところまで張り出してくる。
こうなると、吸引ノズルＮの吸引口５の各部分に出る負圧は略等しくなり、吸引ノズルＮの吸引口５の先端部６も、吸引ノズルＮの吸引口５の終端部分も略等しい吸引力を持つと考えられる。
これから、考えている吸引ノズルＮについて、ｍ点の負圧供給通路の断面積Ｓｍに対して、十分小さなａ点からｍ点までの吸引口５の面積Ｑｍ（＝Ｈ×Ｌｍ）という意味を具体的に数式にして考えた。
【００３１】
即ち、上記したように、ｍ点の負圧供給通路の断面積をＳｍ、ａ点からｍ点までの長さをＬｍ、吸引口５の幅をＨとして
Ｓ＝Ｋ×Ｑｍ＝Ｋ×（Ｈ×Ｌｍ）・・・・・・・・・・・（１）
という式を考える。
ここで、ｍ点はａ点の下の吸引ノズルＮの吸引口５の先端下部のｃ点より微小に吸引口５の後端ｂ点側の点から吸引口５の後端ｂ点までの任意の点である。
（１）式でＫはｍ点の負圧供給通路の断面積Ｓｍとａ点からｍ点までの吸引ノズルＮの吸引口５の面積Ｑｍ（＝Ｈ×Ｌｍ）の比例定数となる。
【００３２】
今般の正確な実験に先立って、紙粘土で作成した種々の吸引ノズルについて、多数行った予備的実験によれば、ｍ点の負圧供給通路の断面積Ｓｍに対して、十分小さなａ点からｍ点までの吸引ノズルＮの吸引口５の面積Ｑｍ（＝Ｈ×Ｌｍ）という意味で、（１）式においてＫが２≦ＫであるようにＫを決定して、断面積Ｓｍを計算して、その断面積Ｓｍをｍ点の負圧供給通路の断面積Ｓｍとして吸引ノズルＮを形成すれば、吸引ノズルＮの吸引口５の各部分に略等しい負圧が得られることが分かった。
しかし、Ｋを、Ｋ＞２であるように決定して面積Ｓｍを計算して、その面積Ｓｍをｍ点の負圧供給通路の断面積Ｓｍとして形成した吸引ノズルＮは、吸引口５の先端に十分な負圧を張り出させるという目的、及び、吸引ノズルＮの吸引口５の各部分に略等しい負圧を持たせるという目的は達せられるが、あまり大きいＫを用いて面積Ｓｍを計算して、その面積Ｓｍをｍ点の負圧供給通路の断面積Ｓｍとして形成した吸引ノズルＮは、大きすぎ重すぎて、とても使いにくい。
【００３３】
そこで、吸引ノズルＮをその長手方向の吸引口５の長さを約２００ｍｍ以下、実験では約１２８ｍｍ以下の長さにして形成するとき、（１）式において１．０≦Ｋ≦２．５となるようにＫを決定して、面積Ｓｍを計算して、その面積Ｓｍをｍ点の負圧供給通路の断面積Ｓｍとして吸引ノズルＮを形成してみた。詳しくは、（１）式を用いて、ＫをＫ＝１、Ｋ＝１．５、Ｋ＝２として各々ｍ点の負圧供給通路の断面積Ｓｍを計算して、各々それらのｍ点の負圧供給通路の断面積Ｓｍを用いて形成し、幅Ｈが８ｍｍの吸引口５を持つ実験用吸引ノズルＮで実験したところ、Ｋの値をＫ＝２とした実験用吸引ノズルＮは吸引口５の先端部６の負圧と吸引口５の後端部分の負圧が略等しくなり、また、吸引口５の各部分の負圧も略等しくなり、また、吸引口５の各部分の負圧は実用上十分なものとなった。
【００３４】
Ｋの値をＫ＝１．５として、面積Ｓｍを計算して、その面積Ｓｍをｍ点の負圧供給通路の断面積Ｓｍとして形成した実験用吸引ノズルＮは吸引口５の先端部６の負圧が吸引口５の後端部分の負圧より小さくなったものの、吸引口５の先端部６に実用上十分な吸引力が得られ、また吸引口５の各部分の負圧の差も実用上問題ない範囲で、実用上十分な能力を示した。
【００３５】
Ｋの値をＫ＝１として、面積Ｓｍを計算して、その面積Ｓｍをｍ点の負圧供給通路の断面積Ｓｍとして形成した実験用吸引ノズルＮは吸引口５の先端部６の負圧が吸引口５の終端部分の負圧より著しく小さくなり実用上の吸引力が得られなかった。
【００３６】
以上の実験が示すところは、（１）式において、Ｋの値を、余裕を見て１．２≦Ｋ≦２．５（実験結果のみでは、１．５≦Ｋ≦２．０）として、実験用吸引ノズルＮを形成すれば、Ｋの値をＫ＝１．５として形成された実験用吸引ノズルＮの吸引口５の各部分に出る負圧のバランスと、Ｋの値をＫ＝２として形成された実験用吸引ノズルＮの吸引口５の各部分に出る負圧のバランスとの間の、中庸なバランスの負圧が、このＫの値を１．２≦Ｋ≦２．５として形成された実験用吸引ノズルＮの吸引口５の各部分に出ると考えられる。したがって、Ｋの値を１．２≦Ｋ≦２．５として形成された実験用吸引ノズルＮは実用上十分な負圧が吸引口５の各部分に出る吸引ノズルＮとなると考える。
【００３７】
実験用吸引ノズルＮにおいて、（１）式を用いて、Ｋの値をＫ＝１．５にして、面積Ｓｍを計算して、その断面積Ｓｍをｍ点の負圧供給通路の断面積Ｓｍとして形成した実験用吸引ノズルＮは、紙製のゴミパックにゴミが１／４ほど溜まった通常の使用状態の電気掃除機の吸引パイプに接続して、この電気掃除機の吸引力の強、中、弱のスイッチを、中を用いてこの電気掃除機を運転し、床にこぼした砂を、吸引口５の先端部６だけ床に触れさせ、吸引口５の他の部分は浮かせた状態で吸引したところ、問題なく吸引口５の先端部６で砂を吸引した。
【００３８】
また、吸引口５の長さＬが１２８ｍｍの実験用吸引ノズルＮで実験しただけで、１２８ｍｍより短い吸引口５の長さＬを持つ吸引ノズルＮについて、これを形成するときに（１）式と、Ｋに関する条件１．２≦Ｋ≦２．５が使えるとしたのは、吸引ノズルＮの吸引口５の幅が変わらないとき、吸引ノズルＮの吸引口５の長さＬが１２８ｍｍより短くなると、その吸引ノズルＮの吸引口５の吸引力は、吸引ノズルＮの吸引口５の長さＬが１２８ｍｍの吸引口５の吸引力より強くなるので、先端部６の吸引力が不足するなどの不都合が起きるということがないからである。
【００３９】
また、実験用吸引ノズルＮの吸引口５の幅Ｈを８ｍｍとしたのは、実際の掃除において、紙を固めて作ったような、大きめの猫のトイレ用の砂などが、吸引口５に引っ掛かって吸引できない事態にならないような幅を考えたのであるが、以下に述べる理論上の理由もある。
（１）式におけるＨを８ｍｍに決めて行った実験結果だけ示して、（１）式と、Ｋに関する１．２≦Ｋ≦２．５という条件を、このたびの工夫で求める吸引ノズルＮを形成させるための式とＫの条件だと主張する理由は次のとおりである。
まず数学的に、ｍ点はｃ点より微小にｂ点側の点からｂ点まで無限にあり、したがってｍ点の負圧供給通路の断面も無限にあり、したがってｍ点の負圧供給通路の断面積Ｓｍも無限にあり、またａ点からｍ点までの長さＬｍも同様に無限にある。無限にある全てのｍ点の負圧供給通路の断面がｍ点から先端側の負圧供給通路内の空気を吸引する状況を具体的に示すための（１）式と、Ｈを、Ｈ＝８とした実験から得られたＫの条件１．２≦Ｋ≦２．５であった。
【００４０】
実は、このとき無限にあるｍ点の断面の断面積Ｓｍとｍ点から先端側の吸引口５の面積Ｑｍ（＝Ｈ×Ｌｍ）のあいだの関係式（１）式を発見するに先立って考えたことは、「吸引ノズルＮに電気掃除機での吸引による負圧がかかっていると考えて、そのとき、ｍ点の負圧供給通路の断面積Ｓｍに対して、ａ点からｍ点までの吸引ノズルＮの吸引口５の面積Ｑｍ（＝Ｈ×Ｌｍ）が十分小さいとき」ということであった。
この、「ｍ点の負圧供給通路の断面積Ｓｍに対して、ａ点からｍ点までの吸引ノズルＮの吸引口５の面積Ｑｍ（＝Ｈ×Ｌｍ）が十分小さいとき」という意味で、実験で得られた１．２≦Ｋ≦２．５という条件は、（１）式において、Ｈを、Ｈ＝８として実験して得られたＫの条件であるが、無限にある全てのｍ点の負圧供給通路の断面がｍ点から先端側の負圧供給通路内の空気を吸引するためのＫの条件という意味において、吸引ノズルＮの吸引口５の幅Ｈには左右されない、（１）式の面積Ｓｍと面積Ｑｍ（＝Ｈ×Ｌｍ）のあいだの比例定数Ｋの条件であることは明らかである。
【００４１】
すなわち、求める吸引ノズルＮを形成するとき、（１）式を用いて、Ｋに関する条件を、前述の実験で得た、１．２≦Ｋ≦２．５とすれば、全ての任意のｍ点の負圧供給通路の断面積Ｓｍは、これに対するｍ点から先端側の吸引口５の面積Ｑｍ（＝Ｈ×Ｌｍ）のＫ倍であり、このＫが１．２≦Ｋ≦２．５であれば、ありとあらゆるｍ点の負圧供給通路の断面積Ｓｍはｍ点から先端側の負圧供給通路内の空気を吸引し、その結果Ｈの値にかかわらず、この吸引ノズルＮの吸引口５の各部分に負圧が張り出すことになり、（１）式とＫに関する１．２≦Ｋ≦２．５という条件は、求める吸引ノズルＮを形成するために、Ｈの値にかかわらず有効であると考えるからである。
【００４２】
また、実際上の問題として考えても、実際販売されている吸引ノズルＮの吸引口５の幅は、吸引口５の部分により変化しているものが多いが、約５ｍｍから約１０ｍｍであることも考えれば、吸引ノズルＮの吸引口５の幅Ｈが１２ｍｍを超える場合等は考えなくていいし、また幅Ｈを一定の幅にして吸引ノズルＮを形成する場合、実際に販売する吸引ノズルＮであれば、吸引口５の幅Ｈが６ｍｍに満たない吸引ノズルＮの幅はゴミが引っ掛かる頻度が大きそうで、これは不都合である。販売できそうな吸引ノズルＮの吸引口５の幅Ｈは約７ｍｍから約１０ｍｍであると考えられるから、実験用吸引ノズルＮの吸引口５の幅ＨをＨ＝８ｍｍとして実験して求めた、（１）式と、（１）式におけるＫに関する１．２≦Ｋ≦２．５という条件は、求める吸引ノズルＮを形成するときに、現実的にも有効な式とＫの条件であると考える。
【００４３】
また、吸引ノズルＮを形成するときｍ点の位置によってＫの値を変えることは、これをしない。吸引ノズルＮを形成するとき、吸引口５の幅Ｈは吸引口５の先端ａから吸引口５終端ｂまで変化させない。この結果、吸引ノズルＮはｍ点の面積すなわち、ｍ点の負圧供給通路の断面積Ｓｍが吸引口５の先端から吸引口５の終端に向かって、ゆらぐことなく次第に大きくなっていく形状となる。この吸引ノズルＮの形状は吸引ノズルＮ内を奥の電気掃除機へと流れる空気流に不都合な渦や回流が生ずることなく、ゴミがよどみなく電気掃除機のほうに運搬される形状で、また、不都合な騒音となる共鳴現象が起きない形状である。
【００４４】
尚、上記実施の形態において、吸引ノズルＮの材質は適宜に定めてよい。
【符号の説明】
【００４５】
Ｎ  電気掃除機用吸引ノズル
１  本体
２  壁部
３  流路
４  接続口部
５  吸引口
６  先端部
Ｐ  軸線
７  先端開口
８  一般開口
９  開口縁
ａ  先端位置
ｂ  終端位置
ｃ  所定位置
ｄ  境界位置
ｍ  任意位置
Ｈ  幅
Ｌ  吸引口５の先端位置ａから終端位置ｂまでの所定長さ
Ｌｃ  吸引口５の先端位置ａから所定位置ｃ（ｄ）までの長さ
Ｌｍ  吸引口５の先端位置ａから任意位置ｍまでの長さ
Ｑｍ  吸引口５の先端位置ａから任意位置ｍまでの開口面積
Ｓｍ  任意位置ｍにおける流路３の横断面積
Ｋ  定数
Ｓ  アタッチメント
２０  アタッチメント本体
２１  螺線
２２  取付機構
Ｆ  負圧測定装置
３０  容器
３１  ホース
３２  フック
３３  メモリ
【図１】
0005912457.tif 000002
【図２】
0005912457.tif 000003
【図３】
0005912457.tif 000004
【図４】
0005912457.tif 000005
【図５】
0005912457.tif 000006
【図６】
0005912457.tif 000007
【図７】
0005912457.tif 000008
【図８】
0005912457.tif 000009